(57)【要約】      （修正有）【課題】縦型の家庭用洗濯機で運動靴を洗うための運動靴洗濯ネットを提供する。【解決手段】運動靴洗濯ネット本体１において、互いに離間して靴収納袋８、９を設け、靴収納袋の内部には靴を固定する紐１１を取り付け、また運動靴の出し入れをスムーズにするためファスナー１０を取り付けている。一対の靴収納袋は一定の距離で離間するため仕切帯２で仕切り、洗濯時に運動靴同士がぶつからないようにしている。仕切帯には浮力を発生させる浮力材を内部に設置し、洗濯槽内部の水流を作る円板の羽根と運動靴がなるべく接触しないようにしている。【選択図】図１
0003224122.tif 000002
【実用新案登録請求の範囲】
【請求項１】
網目状の素材からなり、互いに平行かつ離間して配置された１対の靴収納袋と、前記一対の靴収納袋の間に配置されて、前記１対の靴収納袋を互いに連結する仕切帯と、前記仕切帯の内部に収納される浮力材とを有する運動靴洗濯ネット。
【請求項２】
前記仕切帯は、互いに離間して配置される複数の部分からなる、請求項１記載の運動靴洗濯ネット。
【請求項３】
前記浮力材は、互いに離間して配置される少なくとも２つ以上の部分からなる、請求項１記載の運動靴洗濯ネット。
【請求項４】
前記浮力材は、単一部分からなる、請求項１記載の運動靴洗濯ネット。
【考案の詳細な説明】
【技術分野】
【０００１】  本考案は、縦型の家庭用洗濯機で運動靴を洗うための運動靴洗濯ネットに関するものである。
【背景技術】
【０００２】  運動靴を洗濯機で洗濯する道具としては、衣服用洗濯ネットを用いることが考えられるが、実際には運動靴を洗うのには適さない。従って、普通は、家庭で運動靴を洗う時にはブラシで手洗いをしている場合が多い。
【先行技術文献】
【特許文献】
【０００３】
【特許文献１】実用新案登録第３０３４５１１号
【考案の概要】
【考案が解決しようとする課題】
【０００４】  特許文献１の靴洗濯補助具は洗濯用ネット材の内部に、運動靴を束ねる補助具を備え、洗濯機内で運動靴を浮遊させて洗濯効果を得ようとするものであるが、実際には洗濯時、洗濯羽根によって作り出される水流と回転力が、浮遊しているネット材本体にバランスよく当たらないため、靴の洗濯効果が十分期待できない。また、脱水時に、ネット本体の中に１足分包み込まれた靴が、脱水槽の回転が始まると遠心力により洗濯槽の側壁に偏るため洗濯槽が揺れながら回転し、洗濯機自体の揺れと振動音を引き起こし途中で洗濯が停止してしまうと考えられる。【０００５】  一方、従来の衣類用洗濯ネットを使用して運動靴を洗濯機で洗濯すると、ネット内に収納した運動靴が洗濯槽の側壁や水流を作り出す回転板とぶつかるので傷がつきやすく十分な洗濯効果が得られない。また脱水行程に入ると洗濯槽の遠心方向の側壁に左右の運動靴がへばり付き、洗濯槽が振動してバランスをくずし、場合によって洗濯機はエラー状態になりストップすることがあった。【０００６】  本考案は以上の欠点を解決しようとするものである。
【課題を解決するための手段】
【０００７】  本考案は、網目状の素材からなり、互いに平行かつ離間して配置された１対の靴収納袋と、前記一対の靴収納袋の間に配置されて、前記１対の靴収納袋を互いに連結する仕切帯と、前記仕切帯の内部に収納される浮力材とを有することを特徴とする。
本考案によれば、洗濯機を傷めず洗濯効果が高い運動靴洗濯ネットが提供できる。【０００８】    また本考案は、前記仕切帯が、互いに離間して配置される複数の部分からなる特徴を有する。
本考案によれば、前記仕切帯が離間して配置されていることにより、靴収納袋に洗濯水が接しやすくなるため、洗濯効果が高い運動靴洗濯ネットが提供できる。【０００９】    また本考案は、前記浮力材が、互いに離間して配置される少なくとも２つ以上の部分からなる特徴を有する。
本考案によれば、前記浮力材が離間して複数配置されていることにより、前記仕切帯全体に十分な浮力を与えることができ、洗濯機の洗濯槽とぶつかることなく、円滑に洗濯が可能な運動靴洗濯ネットが提供できる。【００１０】    また本考案は、前記浮力材は、単一部分からなる特徴を有する。
本考案によれば、前記浮力材が単一部分からなることにより、運動靴洗濯ネット全体に十分な浮力を与えることができ、運動靴が重い場合にも洗濯槽内で沈むことなく、円滑に洗濯が可能な運動靴洗濯ネットが提供できる。
【考案の効果】
【００１１】  本考案による運動靴洗濯ネットは、運動靴を入れる一対の靴収納袋の間に一定の間隔を連結・保持するための仕切帯、また仕切帯の内部に浮力を発生させる浮力材を設置したことで、洗濯の際、靴収納袋が浮力材を中心に洗濯槽の回転軸に合せて回転し、靴の洗濯に必要な水深が最小限に抑えられ必要水量の節水となり、運動靴が洗濯中に靴同士でぶつかったり、水流を作り出す回転板とぶつかったりすることがないため洗濯音が静かになった。脱水行程時においても運動靴洗濯ネット内で左右に収納された運動靴が遠心力を受けて、洗濯槽の回転軸に合せて回転するため洗濯槽の側壁に偏ることがないため、脱水が静かになった。
【図面の簡単な説明】
【００１２】
【図１】  運動靴洗濯ネットを示す写真である。
【図２】  運動靴洗濯ネットに、大人用の靴を収納状態を示す写真である。
【図３】  運動靴洗濯ネットに、子供用の靴を２足収納した状態を示す写真である。
【図４】  洗濯槽内部を上部から見て、洗濯水流をつくる５枚羽根を写した写真である。
【図５】  運動靴洗濯ネットを洗濯槽にセットした状態を示す写真である。
【図６】  洗濯槽内部で運動靴洗濯ネットを用いて運動靴を洗濯している洗濯槽を断面状態で示す説明図である。
【図７】  仕切帯を互いに離間して配置する場合の運動靴洗濯ネットの外観図である。
【図８】  浮力材を単一の部材とした場合の運動靴洗濯ネットの外観を示す写真である。
【考案を実施するための形態】
【００１２】  この考案に係る運動靴洗濯ネットについて、以下図面に基づいて説明する。
本考案にかかる運動靴洗濯ネット本体１は、網目状の素材からなり、互いに平行かつ離間して配置された１対の靴収納袋８，９と、前記一対の靴収納袋８，９の間に配置されて、前記１対の靴収納袋８，９を互いに連結する仕切帯２と、前記仕切帯２の内部に収納される浮力材３とを有することを特徴とするものである。
【実施例】
【００１３】  運動靴洗濯ネット１は、合成繊維、合成樹脂繊維、天然繊維など任意の素材の物でも使用できる。ただし運動靴洗濯ネット本体１は、洗濯中にねじれたりするので復元力があり、かつソフトな網目の材料が良い。
運動靴洗濯ネット本体１の網目の大きさは、水、洗剤が靴収納袋８，９の間を通過しやすく洗濯効率を高めるような大きい網目が良いが、小石等が運動靴洗濯ネット本体１の靴収納袋８，９に閉じ込められる程度の網目である方が良い。理由は水流を作りだす円板６、洗濯槽４を傷つけないためである。
運動靴洗濯ネット１の大きさは一般に、洗濯機で洗うことができる洗濯槽容量が１２ｋｇ、１０ｋｇ、８ｋｇ程度となっており、一方運動靴のサイズには大人、中学生、小学生、幼児それぞれのサイズがあることから、洗濯槽の内径に収まる程度のサイズとして決定すればよい。例えば、容量１２ｋｇの洗濯機においては、ネット１本体を４５ｃｍ×３４ｃｍで形成すると適当である。【００１４】  運動靴洗濯ネット本体１は、靴収納袋８，９と仕切帯２の中に浮力材３を設置し、運動靴を固定する紐、運動靴の出し入れを行うファスナー１０から構成されている。靴収納袋８，９は、例えば大人用の運動靴を収納できるサイズとし、さらに運動靴７ａ，７ｂが出し入れできるようにファスナー１０を取り付けておくのがよい。
左右の運動靴７ａ，７ｂ同士がぶつからないようにするため、靴収納袋８，９の間に設けた仕切帯２は、運動靴洗濯ネット本体１に靴収納袋８，９を設けた際、靴収納袋８，９の間部分に設ければよく、例えば４５ｃｍ×３４ｃｍの運動靴ネット本体１では、１対の靴収納袋の間に約１０ｃｍ程度の仕切帯２を設けるのが適当である。【００１５】  一方、仕切帯２の内部に設置する浮力材３は、例えば発泡ウレタン、発泡ポリエチレン等の材料とし、ある程度の柔軟性を持ち復元力のあるものが望ましい。浮力材３を設置している理由は、運動靴洗濯ネット本体１で運動靴７ａ，７ｂを洗濯する時、運動靴洗濯ネット本体１の中央部を浮かし、運動靴７ａ，７ｂが洗濯の水流を作り出す円板６についている羽根５となるべく接触しないようにして、洗濯水流の効率を上げるためである。浮力材３のサイズは、運動靴を浮かせるに十分な浮力を備える必要があることから運動靴の重量に応じて決定すればよく、また仕切帯２に対して全面的に、あるいは部分的に複数設置してもよく、洗濯槽の回転時に運動靴洗濯ネット本体１が洗濯槽の回転軸に沿って回転するよう配置されていればよい。【００１６】  また、左右の靴収納袋８，９の内部に運動靴を固定する紐１１を設け、靴収納袋内で運動靴を固定できるようにすることもできる。【００１７】  次に本考案にかかる運動靴洗濯ネット本体１の使用方法を説明する。まず靴収納袋８，９に運動靴７ａ，７ｂをそれぞれ収納して、ファスナー１０を閉じる。この際に、靴底を上方向にして収納し、運動靴７ａ，７ｂのつま先が逆を向くように収納し、運動靴を固定する紐１１で縛る。このように収納すると、運動靴の内部のごみや汚れが排出されやすくなり、洗濯槽内での円滑な回転を促進する。またファスナー１０は洗濯機の回転板と接触しないことが望ましいため、洗濯時に水面側を向いていることが望ましい。しかし靴収納袋の中に入れる靴底の方向は上方向に限らない。
また、子供用の運動靴の場合には、靴収納袋８，９に各１足ずつの運動靴を収納し、一度に計２足の運動靴の洗濯を行うこともできる。【００１８】  運動靴を収納した運動靴洗濯ネット本体１を縦型洗濯機の洗濯槽の底に置き、洗剤を入れ、洗濯を開始する。その際の水量は運動靴を収納した運動靴洗濯ネット本体１を浮かせるに要する最小限の水量でよい。全自動洗濯機の場合、洗濯、すすぎ、脱水は２０分程度で完了し、脱水後、運動靴洗濯ネット本体１から運動靴７ａ，７ｂを取り出し、乾燥すればよい。【００１９】  さらに、以下、本考案の変形例について説明する。【００２０】  また仕切帯２の形態としては、靴収納袋８，９の間に１体として設ける他に、デザイン等も考慮し図７に示すよう、仕切帯２を複数設けることもできる。【００２１】  運動靴の靴底が厚く、またゴム等で出来ている場合は運動靴全体が重くなるので運動靴洗濯ネット本体１が洗濯槽４の底に沈もうとするので、運動靴洗濯ネット本体１が水流を作り出す羽根５と接触しないようにするため仕切帯２に設置する浮力材３の体積を大きくする必要がある。この場合には、図８にみるよう、仕切帯２の内部全体に単一の浮力材３を設置することもできる。
【符号の説明】
【００２１】    １    運動靴洗濯ネット本体
２    仕切帯
３    浮力材
４    洗濯槽
５    水流を作り出す羽根
６    水流を作り出す円板
７ａ  運動靴（左）
７ｂ  運動靴（右）
８    運動靴収納袋（左）
９    運動靴収納袋（右）
１０    ファスナー
１１    靴固定紐
１２    水面
【図１】
0003224122.tif 000003
【図２】
0003224122.tif 000004
【図３】
0003224122.tif 000005
【図４】
0003224122.tif 000006
【図５】
0003224122.tif 000007
【図６】
0003224122.tif 000008
【図７】
0003224122.tif 000009
【図８】
0003224122.tif 000010